(57)【要約】【課題】空気調和装置における熱交換性能を向上し得る熱交換器ユニットを提供する。【解決手段】熱交換器ユニット４２は、第１熱交換器５２と第２熱交換器６２とを備える。第１熱交換器５２は、第１ヘッダ５２３及び第２ヘッダ５２４と、第１ヘッダ５２３及び第２ヘッダ５２４のそれぞれに接続される複数の扁平多穴管からなる第１扁平管群５００と、を有する。また、第２熱交換器６２は、第１熱交換器５２に並設され、かつ第１熱交換器５２よりも室内ファン４１による空気流の風下側に配置される。また、第２熱交換器６２は、第３ヘッダ６２３及び第４ヘッダ６２４と、第３ヘッダ６２３及び第４ヘッダ６２４のそれぞれに接続される複数の扁平多穴管からなる第２扁平管群６００と、を有する。そして、第４ヘッダ６２４が、第３ヘッダ６２３側から流入する冷媒を第３ヘッダ６２３側へ折り返す連結管６２５（折り返し部）を有する。【選択図】図１０
2018162964.tif 000002
【特許請求の範囲】
【請求項１】
第１ヘッダ（５２３）及び第２ヘッダ（５２４）と、前記第１ヘッダ及び前記第２ヘッダのそれぞれに接続される複数の扁平多穴管からなる第１扁平管群（５００）と、を有する第１熱交換器（５２，５２Ｓ）と、
前記第１熱交換器に並設され、かつ前記第１熱交換器よりもファン（４１）による空気流の風下側に配置され、第３ヘッダ（６２３）及び第４ヘッダ（６２４）と、前記第３ヘッダ及び前記第４ヘッダのそれぞれに接続される複数の扁平多穴管からなる第２扁平管群（６００）と、を有する第２熱交換器（６２，６２Ｓ）と、を備え、
前記第４ヘッダは、前記第３ヘッダ側から流入する冷媒を前記第３ヘッダ側へ折り返す折り返し部（６２５）を有する、
熱交換器ユニット（４２，４２Ｓ）。
【請求項２】
前記第２扁平管群では、複数の扁平多穴管が上下に並んでおり、上側の１以上の扁平多穴管が上側第２熱交換領域（６００Ｕ）を形成し、下側の１以上の扁平多穴管が下側第２熱交換領域（６００Ｌ）を形成しており、
前記第４ヘッダが、前記上側第２熱交換領域及び前記下側第２熱交換領域のそれぞれに接続する、上側第４ヘッダ（６２４Ｕ）及び下側第４ヘッダ（６２４Ｌ）を有し、
前記折り返し部が、前記上側第４ヘッダと前記下側第４ヘッダとを連結して、前記第３ヘッダ側から流入する冷媒を前記第３ヘッダ側へ折り返す、
請求項１に記載の熱交換器ユニット。
【請求項３】
前記折り返し部は、前記上側第４ヘッダと前記下側第４ヘッダとを連結する連結管（６２５）を有する、
請求項２に記載の熱交換器ユニット。
【請求項４】
前記折り返し部に、冷媒の温度を計測するための温度計測器が取り付けられる、
請求項１から３のいずれか１項に記載の熱交換器ユニット。
【請求項５】
前記第１ヘッダから前記第２ヘッダに向かう冷媒流れの第１方向（Ｄ１）と、前記第３ヘッダから前記第４ヘッダに向かう冷媒流れの第２方向（Ｄ２）とが対向しており、
前記第３ヘッダが、前記上側第２熱交換領域及び前記下側第２熱交換領域のそれぞれに接続する、上側第３ヘッダ（６２３Ｕ）及び下側第３ヘッダ（６２３Ｌ）を有し、
前記上側第２熱交換領域の面積が前記下側第２熱交換領域の面積よりも大きいものであり、
前記第１ヘッダ及び前記上側第３ヘッダにガス状冷媒が流れるガス冷媒配管（６ａ）が接続され、
前記第２ヘッダ及び前記下側第３ヘッダに液状冷媒が流れる液冷媒配管（５ａ）が接続される、
請求項２から４のいずれか１項に記載の熱交換器ユニット。
【請求項６】
前記第２ヘッダは、前記第１ヘッダ側から流入する冷媒を前記第１ヘッダ側へ折り返す第２折り返し部（５２５）を有する、
請求項１から４のいずれか１項に記載の熱交換器ユニット（４２Ｓ）。
【請求項７】
前記第１扁平管群では、複数の扁平多穴管が上下に並んでおり、上側の１以上の扁平多穴管が上側第１熱交換領域（５００Ｕ）を形成し、下側の１以上の扁平多穴管が下側第１熱交換領域（５００Ｌ）を形成しており、
前記第２ヘッダが、前記上側第１熱交換領域及び前記下側第１熱交換領域のそれぞれに接続する、上側第２ヘッダ（５２４Ｕ）及び下側第２ヘッダ（５２４Ｌ）を有し、
前記第２折り返し部が、前記上側第２ヘッダと前記下側第２ヘッダとを連結して、前記第１ヘッダ側から流入する冷媒を前記第１ヘッダ側へ折り返す、
請求項６に記載の熱交換器ユニット。
【請求項８】
前記第１ヘッダから前記第２ヘッダに向かう冷媒流れの第１方向と、前記第３ヘッダから前記第４ヘッダに向かう冷媒流れの第２方向とが対向しており、
前記第１ヘッダが、前記上側第１熱交換領域及び前記下側第１熱交換領域のそれぞれに接続する、上側第１ヘッダ（５２３Ｕ）及び下側第１ヘッダ（５２３Ｌ）を有し、
前記第３ヘッダが、前記上側第２熱交換領域及び前記下側第２熱交換領域のそれぞれに接続する、上側第３ヘッダ及び下側第３ヘッダを有し、
前記上側第１熱交換領域及び前記上側第２熱交換領域の面積は、それぞれ前記下側第１熱交換領域及び前記下側第２熱交換領域の面積よりも大きいものであり、
前記上側第１ヘッダ及び前記上側第３ヘッダにガス状冷媒が流れるガス冷媒配管が接続され、
前記下側第１ヘッダ及び前記下側第３ヘッダに液状冷媒が流れる液冷媒配管が接続される、
請求項７に記載の熱交換器ユニット。
【請求項９】
前記第２折り返し部は、前記上側第２ヘッダと前記下側第２ヘッダとを連結する第２連結管（５２５）を有する、
請求項７又は８に記載の熱交換器ユニット。
【請求項１０】
前記第２折り返し部に、冷媒の温度を計測するための温度計測器が取り付けられる、
請求項９に記載の熱交換器ユニット。
【請求項１１】
前記第１熱交換器及び前記第２熱交換器が、前記各ヘッダ間で折り曲げられる、
請求項１から１０のいずれか１項に記載の熱交換器ユニット。
【請求項１２】
前記第１熱交換器及び前記第２熱交換器が、前記各ヘッダ間の少なくとも３箇所で折り曲げられ、平面視で略四角形状である、
請求項１１に記載の熱交換器ユニット。
【請求項１３】
前記第１熱交換器及び前記第２熱交換器が、前記ファンを囲む形状である、
請求項１１または１２のいずれか１項に記載の熱交換器ユニット。
【発明の詳細な説明】
【技術分野】
【０００１】
本発明は、熱交換器ユニットに関する。
【背景技術】
【０００２】
近年、扁平多穴管を用いた二列構成の熱交換器が空気調和装置に搭載されている。例えば、特許文献１（特開２０１６−３８１９２号公報）には、空気流の風上側に配置された第１のパラレルフロー型熱交換器と、風下側に配置された第２のパラレルフロー型熱交換器とで、冷媒の流通方向が逆方向になるように形成された熱交換器ユニットが開示されている。
【発明の概要】
【発明が解決しようとする課題】
【０００３】
しかしながら、上記構成の熱交換器ユニットを凝縮器として使用した場合、風上側の熱交換器の過熱領域を通過して暖められた空気が風下側の熱交換器に流入することになる。そのため、風下側の熱交換器において、空気と冷媒との間で温度差が確保されにくくなり、過冷却領域で冷却される冷媒量が抑制される。特に、風上側の熱交換器と風下側の熱交換器とで冷媒の流れが対向する場合は、風下側の熱交換器の過冷却領域において空気と冷媒との間の温度差が確保されにくくなる。結果として、空気調和装置における熱交換性能が抑制されることになる。
【０００４】
本発明の課題は、空気調和装置における熱交換性能を向上し得る熱交換器ユニットを提供することである。
【課題を解決するための手段】
【０００５】
本発明の第１観点に係る熱交換器ユニットは、第１熱交換器及び第２熱交換器を備える。第１熱交換器は、第１ヘッダ及び第２ヘッダと、第１ヘッダ及び第２ヘッダのそれぞれに接続される複数の扁平多穴管からなる第１扁平管群と、を有する。第２熱交換器は、第１熱交換器に並設され、かつ第１熱交換器よりもファンによる空気流の風下側に配置される。そして、第２熱交換器は、第３ヘッダ及び第４ヘッダと、第３ヘッダ及び第４ヘッダのそれぞれに接続される複数の扁平多穴管からなる第２扁平管群と、を有する。ここで、第４ヘッダは、第３ヘッダ側から流入する冷媒を第３ヘッダ側へ折り返す折り返し部を有する。
【０００６】
第１観点に係る熱交換器ユニットでは、風上側に第１熱交換器を備え、風下側に第２熱交換器を備えており、風下側の第２熱交換器の第４ヘッダが冷媒の流れを折り返す折り返し部を有するので、熱交換器ユニットを凝縮器として用いたときに、第１熱交換器の過熱領域の背後の空間から、第２熱交換器の過冷却領域の少なくとも一部を重ならないように配置することができる。これにより、熱交換器ユニットを凝縮器として用いたときに、風下側の熱交換器において、過冷却領域で冷却される冷媒量を増やすことができる。結果として、空気調和装置における熱交換性能を向上することができる。
【０００７】
本発明の第２観点に係る熱交換器ユニットは、第１観点の熱交換器ユニットにおいて、第２扁平管群で、複数の扁平多穴管が上下に並んでおり、上側の１以上の扁平多穴管が上側第２熱交換領域を形成し、下側の１以上の扁平多穴管が下側第２熱交換領域を形成する。また、第４ヘッダが、上側第２熱交換領域及び下側第２熱交換領域のそれぞれに接続する、上側第４ヘッダ及び下側第４ヘッダを有する。そして、折り返し部が、上側第４ヘッダと下側第４ヘッダとを連結して、第３ヘッダ側から流入する冷媒を第３ヘッダ側へ折り返す。
【０００８】
第２観点に係る熱交換器ユニットでは、風下側の第２熱交換器の第４ヘッダが、上側第２熱交換領域と下側第２熱交換領域とを連結して冷媒の流れを折り返す折り返し部を有するので、熱交換器ユニットを凝縮器として用いたときに、第１熱交換器の過熱領域の背後の空間から、第２熱交換器の過冷却領域の少なくとも一部を重ならないように配置することができる。
【０００９】
本発明の第３観点に係る熱交換器ユニットは、第２観点の熱交換器ユニットにおいて、折り返し部が、上側第４ヘッダと下側第４ヘッダとを連結する連結管を有する。
【００１０】
第３観点に係る熱交換器ユニットでは、第４ヘッダが、上側第４ヘッダと下側第４ヘッダとを連結する連結管を有するので、連結管の接続口を調整（例えば上側第４ヘッダの下方に連結管を接続）することで、蒸発器として用いたときに冷媒を下から上に吹き上げるように冷媒を流すことができ、偏流を改善できる。なお、この連結管に各種計測装置を取り付けることで、第２熱交換器内部を流れる冷媒の状態を把握できる。そして、この計測値に基づいて各種調整を行なうことで、空気調和装置の熱交換性能をさらに向上することができる。
【００１１】
本発明の第４観点に係る熱交換器ユニットは、第１観点から第３観点のいずれかの熱交換器ユニットにおいて、折り返し部に、冷媒の温度を計測するための温度計測器が取り付けられる。
【００１２】
第４観点に係る熱交換器ユニットでは、上側第４ヘッダと下側第４ヘッダとを連結する連結管に温度計測器が取り付けられるので、第２熱交換器内部を流れる冷媒の温度を把握できる。この計測値に基づいて、冷媒の状態を最適化することで、空気調和装置の熱交換性能をさらに向上することができる。
【００１３】
本発明の第５観点に係る熱交換器ユニットは、第２観点から第４観点のいずれかの熱交換器ユニットにおいて、第１ヘッダから第２ヘッダに向かう冷媒流れの第１方向と、第３ヘッダから第４ヘッダに向かう冷媒流れの第２方向とが対向する。また、第３ヘッダが、上側第２熱交換領域及び下側第２熱交換領域のそれぞれに接続する、上側第３ヘッダ及び下側第３ヘッダを有する。また、上側第２熱交換領域の面積が下側第２熱交換領域の面積よりも大きいものである。そして、第１ヘッダ及び上側第３ヘッダにガス状冷媒が流れるガス冷媒配管が接続される。また、第２ヘッダ及び下側第３ヘッダに液状冷媒が流れる液冷媒配管が接続される。
【００１４】
第５観点に係る熱交換器ユニットでは、風上側の第１熱交換器に流入するガス状冷媒と、風下側の第２熱交換器に流入するガス状冷媒との流れが対向する。ここで、第１熱交換器と第２熱交換器とを流れる冷媒の流通方向が対向するので、熱交換器ユニット全体を通過した空気の温度むらを軽減することができる。
【００１５】
一方、第１熱交換器と第２熱交換器とを流れる冷媒の流通方向が対向する場合には、第２熱交換器の過冷却領域において空気と冷媒との間の温度差が確保されにくくなる。これに対し、上記構成の熱交換器ユニットでは、第２熱交換器が折り返し部を有するので、熱交換器ユニットを凝縮器として用いた場合、第１熱交換器の過熱領域の背後の空間から、第２熱交換器の過冷却領域を重ならないように配置することができる。また、第１熱交換器の過冷却領域の背後の空間に、第２熱交換器の過冷却領域が配置される。これにより、熱交換器ユニットを凝縮器として用いた場合、第２熱交換器において、過冷却領域で冷却される冷媒量をさらに増やすことができる。
【００１６】
本発明の第６観点に係る熱交換器ユニットは、第１観点から第４観点のいずれかの熱交換器ユニットにおいて、第２ヘッダが、第１ヘッダ側から流入する冷媒を第１ヘッダ側へ折り返す第２折り返し部を有する。
【００１７】
第６観点に係る熱交換器ユニットでは、風上側の第１熱交換器の第２ヘッダが冷媒の流れを折り返す第２折り返し部を有するので、熱交換器ユニットを凝縮器として用いたときに、第１熱交換器の過熱領域の背後の空間から、第２熱交換器の過冷却領域の少なくとも一部を重ならないように配置することができる。これにより、熱交換器ユニットを凝縮器として用いたときに、風下側の熱交換器において、過冷却領域で冷却される冷媒量を増やすことができる。
【００１８】
本発明の第７観点に係る熱交換器ユニットは、第６観点の熱交換器ユニットにおいて、第１扁平管群で、複数の扁平多穴管が上下に並んでおり、上側の１以上の扁平多穴管が上側第１熱交換領域を形成し、下側の１以上の扁平多穴管が下側第１熱交換領域を形成する。また、第２ヘッダが、上側第１熱交換領域及び下側第１熱交換領域のそれぞれに接続する、上側第２ヘッダ及び下側第２ヘッダを有する。そして、第２折り返し部が、上側第２ヘッダと下側第２ヘッダとを連結して、第１ヘッダ側から流入する冷媒を第１ヘッダ側へ折り返す。
【００１９】
第７観点に係る熱交換器ユニットでは、風上側の第１熱交換器の第２ヘッダが、上側第１熱交換領域と下側第１熱交換領域とを連結して冷媒の流れを折り返す第２折り返し部を有するので、熱交換器ユニットを凝縮器として用いたときに、第１熱交換器の過熱領域の背後の空間から、第２熱交換器の過冷却領域の少なくとも一部を重ならないように配置することができる。これにより、熱交換器ユニットを凝縮器として用いたときに、第２熱交換器において、過冷却領域で冷却される冷媒量を増やすことができる。
【００２０】
また、第１熱交換器の過冷却領域の背後の空間に、第２熱交換器の過冷却領域の少なくとも一部を配置できる。これにより、第２熱交換器の過冷却領域で冷却される冷媒量をさらに増やすことができる。
【００２１】
本発明の第８観点に係る熱交換器ユニットは、第７観点の熱交換器ユニットにおいて、第１ヘッダから第２ヘッダに向かう冷媒流れの第１方向と、第３ヘッダから第４ヘッダに向かう冷媒流れの第２方向とが対向する。そして第１ヘッダが、上側第１熱交換領域及び下側第１熱交換領域のそれぞれに接続する、上側第１ヘッダ及び下側第１ヘッダを有する。また、第３ヘッダが、上側第２熱交換領域及び下側第２熱交換領域のそれぞれに接続する、上側第３ヘッダ及び下側第３ヘッダを有する。また、上側第１熱交換領域及び上側第２熱交換領域の面積は、それぞれ下側第１熱交換領域及び下側第２熱交換領域の面積よりも大きいものである。そして、上側第１ヘッダ及び上側第３ヘッダにガス状冷媒が流れるガス冷媒配管が接続される。また、下側第１ヘッダ及び下側第３ヘッダに液状冷媒が流れる液冷媒配管が接続される。
【００２２】
第８観点に係る熱交換器ユニットでは、風上側の第１熱交換器に流入するガス状冷媒と、風下側の第２熱交換器に流入するガス状冷媒との流れが対向する。ここで、第１熱交換器と第２熱交換器とを流れる冷媒の流通方向が対向するので、熱交換器ユニット全体を通過した空気の温度むらを軽減することができる。
【００２３】
一方、第１熱交換器と第２熱交換器とを流れる冷媒の流通方向が対向する場合には、第２熱交換器の過冷却領域において空気と冷媒との間の温度差が確保されにくくなる。これに対し、上記構成の熱交換器ユニットでは、第１熱交換器の第２ヘッダが第２折り返し部を有するので、熱交換器ユニットを凝縮器として用いたときに、第１熱交換器の過熱領域の背後の空間から、第２熱交換器の過冷却領域を重ならないように配置することができる。また、第１熱交換器の過冷却領域の背後の空間に、第２熱交換器の過冷却領域が配置される。これにより、熱交換器ユニットを凝縮器として用いた場合、第２熱交換器において、過冷却領域で冷却される冷媒量をさらに増やすことができる。
【００２４】
本発明の第９観点に係る熱交換器ユニットは、第７観点又は第８観点の熱交換器ユニットにおいて、第２折り返し部が、上側第２ヘッダと下側第２ヘッダとを連結する第２連結管を有する。
【００２５】
第９観点に係る熱交換器ユニットでは、第２ヘッダが、上側第２ヘッダと下側第２ヘッダとを連結する第２連結管を有するので、第２連結管の接続口を調整（例えば上側第４ヘッダの下方に連結管を接続）することで、蒸発器として用いたときに冷媒を下から上に吹き上げるような冷媒流れを形成でき、偏流改善することができる。なお、この第２連結管に各種計測装置を取り付けることで、第１熱交換器内部を流れる冷媒の状態を把握できる。そして、この計測値に基づいて各種調整を行なうことで、空気調和装置の熱交換性能をさらに向上することができる。
【００２６】
本発明第１０観点に係る熱交換器ユニットは、第９観点の熱交換器ユニットにおいて、第２折り返し部に、冷媒の温度を計測するための温度計測器が取り付けられる。
【００２７】
第１０観点に係る熱交換器ユニットでは、上側第２ヘッダと下側第２ヘッダとを連結する第２連結管に温度計測器が取り付けられるので、第１熱交換器内部を流れる冷媒の温度を把握できる。この計測値に基づいて、冷媒の状態を最適化することで、空気調和装置の熱交換性能をさらに向上することができる。
【００２８】
本発明の第１１観点に係る熱交換器ユニットは、第１観点から第１０観点のいずれかの熱交換器ユニットにおいて、第１熱交換器及び第２熱交換器が、各ヘッダ間で折り曲げられる。
【００２９】
第１１観点に係る熱交換器ユニットは、各ヘッダ間で折り曲げられる形状とすることで、所望の設置場所に設置することができる。
【００３０】
本発明の第１２観点に係る熱交換器ユニットは、第１１観点の熱交換器ユニットにおいて、第１熱交換器及び第２熱交換器が、各ヘッダ間の少なくとも３箇所で折り曲げられ、平面視で略四角形状である。
【００３１】
第１２観点に係る熱交換器ユニットでは、第１熱交換器及び第２熱交換器が、少なくとも３箇所で折り曲げられ、平面視で略四角形状であるので、内部にファンを設置することで、調和空気を放射状に提供可能な空気調和装置を実現できる。
【００３２】
なお、ここでいう、「略四角形状」とは、完全な四角形のみを意味するものではなく、平行する２辺の組により形成される任意の形状を意味するものである。したがって、この略四角形状には、角部が丸みを帯びているもの、及び角部が切断されているものも含まれる。
【００３３】
本発明の第１３観点に係る熱交換器ユニットは、第１１観点又は第１２観点の熱交換器ユニットにおいて、第１熱交換器及び第２熱交換器が、ファンを囲む形状である。
【００３４】
第１３観点に係る熱交換器ユニットでは、第１熱交換器及び第２熱交換器が、ファンを囲む形状であるので、調和空気を放射状に提供可能な空気調和装置を実現できる。
【発明の効果】
【００３５】
第１観点に係る熱交換器ユニットでは、凝縮器として用いたときに、空気調和装置における熱交換性能を向上することができる。
【００３６】
第２観点に係る熱交換器ユニットでは、凝縮器として用いたときに、空気調和装置における熱交換性能を向上することができる。
【００３７】
第３観点に係る熱交換器ユニットでは、蒸発器として用いたときに偏流を改善できる。
【００３８】
第４観点に係る熱交換器ユニットでは、空気調和装置の熱交換性能をさらに向上することができる。
【００３９】
第５観点に係る熱交換器ユニットでは、通過した空気における温度むらを軽減することができる。また、この熱交換器ユニットを凝縮器として用いた場合、第２熱交換器において、過冷却領域で冷却される冷媒量をさらに増やすことができる。
【００４０】
第６観点に係る熱交換器ユニットでは、凝縮器として用いたときに、風下側の第２熱交換器の過冷却領域で冷却される冷媒量を増やすことができる。
【００４１】
第７観点に係る熱交換器ユニットでは、凝縮器として用いたときに、第２熱交換器において、過冷却領域で冷却される冷媒量を増やすことができる。
【００４２】
第８観点に係る熱交換器ユニットでは、通過した空気における温度むらを軽減することができる。
【００４３】
第９観点に係る熱交換器ユニットでは、蒸発器として用いたときに偏流改善することができる。
【００４４】
第１０観点に係る熱交換器ユニットでは、空気調和装置の熱交換性能をさらに向上することができる。
【００４５】
第１１観点に係る熱交換器ユニットは、所望の設置場所に設置することができる。
【００４６】
第１２観点に係る熱交換器ユニットでは、内部にファンを設置することで、調和空気を放射状に提供可能な空気調和装置を実現できる。
【００４７】
第１３観点に係る熱交換器ユニットでは、調和空気を放射状に提供可能な空気調和装置を実現できる。
【図面の簡単な説明】
【００４８】
【図１】本発明の第１実施形態に係る空気調和装置１の概略構成図である。
【図２】同実施形態に係る天井設置型空気調和装置の室内ユニット４の外観斜視図である。
【図３】同実施形態に係る天井設置型空気調和装置の室内ユニット４の概略断面図である。
【図４】同実施形態に係る天井埋込型の室内ユニット４の天板３３を取り除いた状態を示す概略平面図である。
【図５】同実施形態に係る熱交換器ユニット４２で用いられる熱交換器４２ａの概略斜視図である。
【図６】同実施形態に係る熱交換器ユニット４２で用いられる熱交換器の概略縦断面図である。
【図７】同実施形態に係る熱交換器ユニット４２で用いられる熱交換器４２ａの他の例を示す概略斜視図である。
【図８】同実施形態に係る熱交換器ユニット４２の構成を示す模式図である。
【図９】同実施形態に係る第２熱交換器６２の構成を示す模式図である。
【図１０】同実施形態に係る熱交換器ユニット４２を凝縮器として用いたときの内部状態を説明するための図である。
【図１１】同実施形態に係る熱交換器ユニット４２を凝縮器として用いたときの内部状態を説明するための図である。
【図１２】同実施形態に係る熱交換器ユニット４２の平面形状を示す模式図である。
【図１３】変形例１Ａに係る熱交換器ユニット４２の構成を示す模式図である。
【図１４】変形例１Ｂに係る熱交換器ユニット４２の構成を示す模式図である。
【図１５】変形例１Ｃに係る熱交換器ユニット４２の構成を示す模式図である。
【図１６】変形例１Ｄに係る第２熱交換器６２の構成を示す模式図である。
【図１７】変形例１Ｄに係る第２熱交換器６２の構成を示す模式図である。
【図１８】本発明の第２実施形態に係る熱交換器ユニット４２Ｓの構成を説明するための模式図である。
【図１９】同実施形態に係る第１熱交換器５２Ｓの構成を示す模式図である。
【図２０】同実施形態に係る熱交換器ユニット４２Ｓを凝縮器として用いたときの内部状態を説明するための図である。
【図２１】同実施形態に係る熱交換器ユニット４２Ｓを凝縮器として用いたときの内部状態を説明するための図である。
【図２２】同実施形態に係る熱交換器ユニット４２Ｓの平面形状を示す模式図である。
【図２３】変形例２Ａに係る熱交換器ユニット４２Ｓの構成を示す模式図である。
【図２４】変形例２Ｂに係る熱交換器ユニット４２Ｓの構成を示す模式図である。
【図２５】変形例２Ｃに係る熱交換器ユニット４２Ｓの構成を示す模式図である。
【図２６】本発明の第３実施形態に係る熱交換器ユニット４２Ｗの構成を説明するための模式図である。
【図２７】同実施形態に係る第１熱交換器５２Ｗの構成を示す模式図である。
【図２８】同実施形態に係る第２熱交換器６２Ｗの構成を示す模式図である。
【図２９】同実施形態に係る熱交換器ユニット４２Ｗを凝縮器として用いたときの内部状態を説明するための図である。
【図３０】同実施形態に係る熱交換器ユニット４２Ｗを凝縮器として用いたときの内部状態を説明するための図である。
【図３１】同実施形態に係る熱交換器ユニット４２Ｗの平面形状を示す模式図である。
【図３２】変形例３Ａに係る熱交換器ユニット４２Ｗの構成を示す模式図である。
【発明を実施するための形態】
【００４９】
以下、本発明に係る空気調和装置の実施形態及びその変形例について、図面に基づいて説明する。なお、本発明に係る空気調和装置の具体的な構成は、下記の実施形態及びその変形例に限られるものではなく、発明の要旨を逸脱しない範囲で変更可能である。
【００５０】
＜第１実施形態＞
（１）空気調和装置の概要
（１−１）空気調和装置の基本構成
図１は本発明の第１実施形態に係る空気調和装置１の概略構成図である。
【００５１】
空気調和装置１は、蒸気圧縮式の冷凍サイクルを行うことによって、建物等の室内の冷房及び暖房を行うことが可能な装置である。空気調和装置１は、主として、室外ユニット２と室内ユニット４とが接続されることによって構成される。ここで、室外ユニット２と室内ユニット４とは、液冷媒連絡管５及びガス冷媒連絡管６を介して接続される。また、空気調和装置１は、室内制御部８ａ及び室外制御部８を含む制御部８によって各種運転が制御される。制御部８は、各種センサからの検出信号に基づいて各種機器及び弁等を制御する。
【００５２】
（１−２）空気調和装置の基本動作
次に、空気調和装置１の基本動作について説明する。空気調和装置１は、基本動作として、冷房運転及び暖房運転を行うことが可能である。その他、空気調和装置１は、除霜運転及び油戻し運転等を行なうことも可能である。これらの運転は制御部８により制御される。
【００５３】
（１−２−１）冷房運転
冷房運転では、四路切換弁２２が図１の実線で示される冷媒回路１０となる。この冷媒回路１０では、低圧のガス冷媒が、圧縮機２１で圧縮されて高圧のガス冷媒となる。高圧のガス冷媒は、四路切換弁２２を通じて室外熱交換器２３に送られる。室外熱交換器に送られた高圧のガス冷媒は、室外熱交換器２３において室外空気と熱交換して凝縮する。これにより、高圧のガス冷媒が高圧の液冷媒となる。高圧の液冷媒は、膨張弁２４において減圧されて低圧の気液二相状態の冷媒となる。低圧の気液二相状態の冷媒は、液冷媒連絡管５及び液側接続管５ａを通じて室内熱交換器４２に送られる。そして、この冷媒は、室内熱交換器４２において室内ファン４１から吹き出される空気と熱交換して蒸発する。これにより、室内熱交換器４２に送られた冷媒は、低圧のガス冷媒となる。低圧のガス冷媒は、ガス側接続管６ａ、ガス冷媒連絡管６、及び四路切換弁２２を通じて圧縮機２１に再び送られる。
【００５４】
（１−２−２）暖房運転
暖房運転では、四路切換弁２２が図１の破線で示される冷媒回路１０となる。この冷媒回路１０では、低圧のガス冷媒が、圧縮機２１で圧縮されて高圧のガス冷媒となる。高圧のガス冷媒は、四路切換弁２２、ガス冷媒連絡管６及びガス側接続管６ａを通じて室内熱交換器４２に送られる。室内熱交換器４２に送られた高圧のガス冷媒は、室内ファン４１から吹き出される空気と熱交換して凝縮する。これにより、高圧のガス冷媒が高圧の液冷媒となる。高圧の液冷媒は、液側接続管５ａ及び液冷媒連絡管５を通じて膨張弁２４に送られる。高圧の液冷媒は、膨張弁２４で減圧されて低圧の気液二相状態の冷媒となる。低圧の気液二相状態の冷媒は、室外熱交換器２３に送られる。そして、この冷媒は、室外熱交換器２３において室外空気と熱交換して蒸発する。これにより、室外熱交換器２３に送られた冷媒は、低圧のガス冷媒となる。低圧のガス冷媒は、四路切換弁２２を通じて圧縮機２１に再び送られる。
【００５５】
（２）室内ユニットの構成
本実施形態に係る空気調和装置は、上述した基本構成を備に加えて、室内ユニットが以下の構成を具備する。
【００５６】
なお、本実施形態において、「室内」という用語は、他室と区別する意味で用いられており、壁面で区画される室内空間のみならず、例えば室内天井の裏側の空間を含む意味で用いられる。
【００５７】
（２−１）室内ユニットの基本構成
室内ユニット４は、室内に設置されており、冷媒回路１０の一部を構成する。室内ユニット４は、主として、室内ファン４１、室内熱交換器４２、及び室内制御部８ａを有する。
【００５８】
室内ファン４１は、室内ユニット４内に室内空気を吸入するものである。これにより、室内熱交換器４２において室内空気と冷媒とを熱交換させることができる。また、室内ファン４１は、室内熱交換器４２で熱交換した室内空気を、供給空気として室内に供給する。室内ファン４１としては、遠心ファンや多翼ファン等が使用される。なお、室内ファン４１は、回転数の制御が可能な室内ファン用モータによって駆動される。
【００５９】
室内熱交換器４２は、冷房運転時には冷媒の「蒸発器」として機能し、室内空気を冷却する。また室内熱交換器４２は、暖房運転時には冷媒の「凝縮器」（放熱器）として機能し、室内空気を加熱する。また、室内熱交換器４２は、液冷媒連絡管５及びガス冷媒連絡管６に接続される。室内熱交換器４２の更なる詳細については後述する。
【００６０】
室内制御部８ａは、室内ユニット４を構成する各部の動作を制御するものである。具体的に、室内制御部８ａは、マイクロコンピュータ及びメモリ等を有しており、室内ユニット４内に設けられた各種センサ等の検出値等に基づいて室内ユニット４の動作を制御する。また、室内制御部８ａは、室内ユニット４を個別に操作するためのリモコン（図示せず）との間で制御信号を通信したり、室外制御部８ｂとの間で伝送線を介して制御信号を通信したりする。
【００６１】
その他、室内ユニット４には、各種センサが設けられている。これにより、室内熱交換器４２における冷媒の温度、室内ユニット４内に吸入される室内空気の温度等が検出される。
【００６２】
（２−２）天井埋込型の室内ユニット
本実施形態に係る室内ユニット４は、天井埋込型と呼ばれるタイプの構成を採用することができる。図２は本実施形態に係る天井埋込型の室内ユニット４の外観斜視図である。図３は本実施形態に係る天井埋込型の室内ユニット４の概略断面図である。ここでは、図３は後述する図４におけるＡ−Ｏ−Ａ断面を示している。図４は本実施形態に係る天井埋込型の室内ユニット４の天板３３を取り除いた状態を示す概略平面図である。
【００６３】
天井埋込型の室内ユニットは、ケーシング３１内に、室内ファン４１、及び室内熱交換器４２を収納する。また、ケーシング３１の下部にはドレンパン４０が装着される。
【００６４】
（２−２−１）ケーシング
ケーシング３１は、各種構成機器を内部に収納するものである。ケーシング３１は、主に、ケーシング本体３１ａと、ケーシング本体３１ａの下側に配置された化粧パネル３２とを有する。ケーシング本体３１ａは、図３に示されるように、調和空気が提供される室内の天井Ｕに配置される。天井Ｕには開口が形成されており、この天井Ｕの開口にケーシング本体３１ａが挿入される。そして、化粧パネル３２が、天井Ｕの開口に嵌め込まれるように配置される。
【００６５】
ケーシング本体３１ａは、図３及び図４に示すように、その平面視において、長辺と短辺とが交互に形成された略８角形状の下面が開口した箱状体である。詳しくは、ケーシング本体３１ａは、長辺と短辺とが交互に連続して形成された略８角形状の天板３３と、天板３３の周縁部から下方に延びる側板３４とを有している。側板３４は、天板３３の長辺に対応する側板３４ａ，３４ｂ，３４ｃ，３４ｄと、天板３３の短辺に対応する側板３４ｅ，３４ｆ，３４ｇ，３４ｈとから構成される。また、側板３４ｈは、液側接続管５ａ及びガス側接続管６ａが貫通する部分を有し、冷媒連絡管５，６を室内熱交換器４２に接続可能になっている。
【００６６】
化粧パネル３２は、図２〜４に示すように、平面視が略４角形状の板状体であり、主として、ケーシング本体３１ａの下端部に固定されたパネル本体３２ａから構成される。パネル本体３２ａは、その略中央に空調室内の空気を吸入する吸入口３５と、平面視における吸入口３５の周囲を囲むように形成された空調室内に空気を吹き出す吹出口３６とを有する。吸入口３５は、略４角形状の開口である。吸入口３５には、吸入グリル３７と、吸入口３５から吸入された空気中の塵埃を除去するためのフィルタ３８とが設けられる。吹出口３６は、略４角環状の開口である。吹出口３６には、パネル本体３２ａの４角形の各辺に対応するように、空調室内に吹き出される空気の風向を調節する水平フラップ３９ａ，３９ｂ，３９ｃ，３９ｄが設けられる。
【００６７】
（２−２−２）ドレンパン
ドレンパン４０は、室内熱交換器４２において空気中の水分が凝縮されて生じるドレン水を受けるための部材である。ドレンパン４０は、ケーシング本体３１ａの下部に装着される。ドレンパン４０には、吹出孔４０ａ，４０ｂ，４０ｃ，４０ｄ，４０ｅ，４０ｆ，４０ｇと、吸入孔４０ｈと、ドレン水受け溝４０ｉとが形成される。吹出孔４０ａ〜４０ｇは、化粧パネル３２の吹出口３６に連通するように形成される。吸入孔４０ｈは、化粧パネル３２の吸入口３５に連通するように形成される。ドレン水受け溝４０ｉは、室内熱交換器４２の下側に形成される。また、ドレンパン４０の吸入孔４０ｈには、吸入口３５から吸入される空気を室内ファンの羽根車４１ｂへ案内するためのベルマウス４１ｃが配置される。
【００６８】
（２−２−３）室内ファン
室内ファン４１は、遠心送風機により構成される。ここでは、室内ファン４１は、室内の空気を化粧パネル３２の吸入口３５を通じてケーシング本体３１ａ内に吸入し、化粧パネル３２の吹出口３６を通じてケーシング本体３１ａ内から吹き出すものである。具体的には、室内ファン４１は、ケーシング本体３１ａの天板３３の中央に設けられたファンモータ４１ａと、ファンモータ４１ａに連結されて回転駆動される羽根車４１ｂとを有する。羽根車４１ｂは、ターボ翼を有する。この羽根車４１ｂにより、羽根車４１ｂの内部に下方から空気が吸入され、平面視における羽根車４１ｂの外周側に向かって、吸入された空気が吹き出される。
【００６９】
（２−２−４）室内熱交換器
室内熱交換器４２は、平面視における室内ファン４１の周囲を囲むように曲げられてケーシング３１内部に配置される。室内熱交換器４２の液側は、液側接続管５ａを介して液冷媒連絡管５に接続される。また、室内熱交換器４２のガス側は、ガス側接続管６ａを介してガス冷媒連絡管６に接続される。そして、室内熱交換器４２は、冷房運転時には冷媒の蒸発器として、暖房運転時には冷媒の凝縮器として機能する。これにより、室内熱交換器４２は、室内ファン４１から吹き出された空気と冷媒との間での熱交換を行ない、冷房運転時には空気を冷却し、暖房運転時には空気を加熱する。具体的な室内熱交換器４２の構造及び特徴について以下に説明する。
【００７０】
（３）室内熱交換器の具体的形態
（３−１）熱交換器の基本構成
図５は室内熱交換器４２で用いられる熱交換器４２ａの概略斜視図である。図６は熱交換器４２ａで用いられる熱交換器の概略縦断面図である。なお、図５において、冷媒管及び連通管等は図示を省略している。
【００７１】
熱交換器４２ａは、主として、扁平多穴管からなる伝熱管４２１と、多数のフィン４２２と、２つのヘッダ４２３，４２４と、を有する差込フィン式の積層型熱交換器である。
【００７２】
伝熱管４２１は、扁平多穴管により実現される。ここでは、伝熱管４２１は、両端が各ヘッダ４２３，４２４のそれぞれに接続されている。また、伝熱管４２１は、平面部を上下に向けた状態で、間隔をあけて複数段配列されている。具体的には、伝熱管４２１は、伝熱面となる上下の平面部と、冷媒が流れる多数の小さな冷媒流路４２１ａとを有している。冷媒流路４２１ａとしては、内径が１ｍｍ以下の円形又はこれに同等の断面積を有する多角形の小さな流路穴を有するものが使用される。なお、伝熱管４２１は、アルミニウムまたはアルミニウム合金で成形される。
【００７３】
フィン４２２は、各ヘッダ４２３，４２４の間に配列された複数段の伝熱管４２１に対して差し込まれる。詳しくは、フィン４２２には、水平に細長く延びる複数の切り欠き４２２ａが形成される。また、この切り欠き４２２ａの形状は、伝熱管４２１の断面の外形にほぼ一致する。したがって、この切り欠き４２２ａと伝熱管４２１の外面とが係合することで、伝熱管４２１に接するようにして差し込むことが可能となる。なお、フィン４２２は、アルミニウム製またはアルミニウム合金で成形される。また、フィン４２２は、種々の形状を採ることができ、例えば図７に示すような、波形のものであってもよい。
【００７４】
２つのヘッダ４２３，４２４は、それぞれ、伝熱管４２１を支持する機能と、冷媒を伝熱管４２１の冷媒流路４２１ａに導く機能と、冷媒流路４２１ａから出てきた冷媒を集合させる機能と、を有するものである。
【００７５】
（３−２）熱交換器ユニットの構成
本実施形態に係る室内熱交換器４２は、上述した構成を有する熱交換器４２ａを複数組み合わせた熱交換器ユニットにより構成される。以下の説明においては、便宜上、室内交換機としての熱交換器ユニットに「符号４２」を付して説明する。また、熱交換器ユニット４２は、少なくとも第１熱交換器５２及び第２熱交換器６２を備える。ここで、第１熱交換器５２及び第２熱交換器６２は、上述した熱交換器４２ａと同様の構成を具備するものであるが、便宜上、符号を置き換えて説明する。また、以下の説明において、熱交換器ユニット全体の構成を説明するときには符号の最初の数字を「４」とし、第１熱交換器５２を説明するときには符号の最初の数字を「５」に置き換え、第２熱交換器６２を説明するときは符号の最初の数字を「６」に置き換えて説明する。例えば第１熱交換器５２の伝熱管と第２熱交換器６２の伝熱管は同様の構成を具備する伝熱管ではあるが、符号４２１ではなく、それぞれ「符号５２１」又は「符号６２１」を付して説明する。
【００７６】
図８は本実施形態に係る熱交換器ユニット４２の構成を示す模式図である。熱交換器ユニット４２は、室内ファン（ファン）４１による空気流の風上側に配置される第１熱交換器５２と、室内ファン４１による空気流の風下側に第１熱交換器５２に並設して配置される第２熱交換器６２とを備える。ここでは、第１熱交換器５２の第１ヘッダ５２３から第２ヘッダ５２４に向かう冷媒流れの第１方向Ｄ１と、第２熱交換器６２の第３ヘッダ６２３から第４ヘッダ６２４に向かう冷媒流れの第２方向Ｄ２とが対向するものとする。なお、図８においては、説明の便宜上、第１熱交換器５２及び第２熱交換器６２を離して図示しているが、これらは一体として機能するように十分に近接して配置されるものである。
【００７７】
第１熱交換器５２は、第１ヘッダ５２３及び第２ヘッダ５２４と、第１ヘッダ５２３及び第２ヘッダ５２４のそれぞれに接続される複数の扁平多穴管（伝熱管）からなる第１扁平管群５００と、を有する。第１扁平管群５００には、複数の扁平多穴管が上下に並んでいる。第１ヘッダ５２３には、ガス状冷媒が流れるガス側接続管（ガス冷媒配管）６ａが接続される。また、第２ヘッダ５２４には、液状冷媒が流れる液側接続管（液冷媒配管）５ａが接続される。
【００７８】
第２熱交換器６２は、第３ヘッダ６２３及び第４ヘッダ６２４と、第３ヘッダ６２３及び第４ヘッダ６２４のそれぞれに接続される複数の扁平多穴管からなる第２扁平管群６００と、を有する。第２扁平管群６００には、複数の扁平多穴管が上下に並んでいる。また、第２扁平管群６００では、図８，９に示すように、上側の１以上の扁平多穴管が上側第２熱交換領域６００Ｕを形成し、下側の１以上の扁平多穴管が下側第２熱交換領域６００Ｌを形成する。ここで、上側第２熱交換領域６００Ｕの面積は下側第２熱交換領域６００Ｌの面積よりも大きくなるように構成される。
【００７９】
第３ヘッダ６２３は、図８，９に示すように、上側第２熱交換領域６００Ｕに接続する上側第３ヘッダ６２３Ｕと、下側第２熱交換領域６００Ｌに接続する下側第３ヘッダ６２３Ｌとを有する。詳しくは、第３ヘッダ６２３は、仕切り板６２３ａによって内部空間が上下（ここでは、２つ）に仕切られる。そして、仕切り板６２３ａの上側の空間６２３ｇが上側第２熱交換領域６００Ｕに接続し、仕切り板６２３ａの下側の空間６２３ｈが下側第２熱交換領域６００Ｌに接続する。また、上側第３ヘッダ６２３Ｕには、ガス側接続管６ａが接続される。また、下側第３ヘッダ６２３Ｌには、液側接続管５ａが接続される。
【００８０】
第４ヘッダ６２４は、図８，９に示すように、上側第２熱交換領域６００Ｕに接続する上側第４ヘッダ６２４Ｕと、下側第２熱交換領域６００Ｌに接続する下側第４ヘッダ６２４Ｌとを有する。詳しくは、第４ヘッダ６２４は、仕切り板６２４ａによって内部空間が上下（ここでは、２つ）に仕切られる。そして、仕切り板６２４ａの上側の空間６２４ｉが上側第２熱交換領域６００Ｕに接続し、仕切り板６２４ａの下側の空間６２４ｊが下側第２熱交換領域６００Ｌに接続する。また、第４ヘッダ６２４は、上側第４ヘッダ６２４Ｕと下側第４ヘッダ６２４Ｌとを連結して、第３ヘッダ６２３側から流入する冷媒を第３ヘッダ６２３側へ折り返す「折り返し部」を有する。具体的には、第４ヘッダ６２４は、折り返し部として、上側第４ヘッダ６２４Ｕと下側第４ヘッダ６２４Ｌとを連結する連結管６２５を有する。なお、連結管６２５には、冷媒の温度を計測するための温度計測器が取り付けられる。
【００８１】
（３−３）熱交換器ユニットの特徴
（３−３−１）
上述したような熱交換器ユニット４２を凝縮器として用いた場合、熱交換領域の内部状態が図１０，１１に示すような状態となる。ここで、図１１は、熱交換器ユニット４２を折り曲げて、ガス側接続管６ａ（ガス冷媒配管）及び液側接続管５ａ（液冷媒配管）との接続箇所の断面で見たときの熱交換領域の状態を示す模式図である。すなわち、ケーシング本体３１ａの側板３４ｈ方向から熱交換器ユニット４２を見たときの熱交換領域の状態を示す図である。これらの図１０，１１においては、領域Ｓｃ１，Ｓｃ２のハッチングが、冷媒が過冷却される過冷却領域を示しており、領域Ｓｈ１，Ｓｈ２のハッチングが、冷媒が過熱される過熱領域を示している。
【００８２】
要するに、本実施形態に係る熱交換器ユニット４２では、風上側に第１熱交換器５２を備え、風下側に第２熱交換器６２を備えており、風下側の第２熱交換器６２の第４ヘッダ６２４が冷媒の流れを折り返す連結管６２５（折り返し部）を有するので、熱交換器ユニット４２を凝縮器として用いたときに、第１熱交換器５２の過熱領域Ｓｈ１の背後の空間から、第２熱交換器の過冷却領域Ｓｃ２の少なくとも一部を重ならないように配置することができる。これにより、熱交換器ユニット４２を凝縮器として用いたときに、風下側の第２熱交換器６２において、過冷却領域Ｓｃ２で冷却される冷媒量を増やすことができる。結果として、空気調和装置１における熱交換性能を向上することができる。
【００８３】
（３−３−２）
さらに詳しくは、本実施形態に係る熱交換器ユニット４２の第２扁平管群６００では、複数の扁平多穴管が上下に並んでいる。そして、連結管６２５（折り返し部）が、上側第４ヘッダ６２４Ｕと下側第４ヘッダ６２４Ｌとを連結して、第３ヘッダ６２３側から流入する冷媒を第３ヘッダ６２３側へ折り返している。
【００８４】
このような構成により、熱交換器ユニット４２を凝縮器として用いたときに、第１熱交換器５２の過熱領域Ｓｈ１の背後の空間から、第２熱交換器６２の過冷却領域Ｓｃ２の少なくとも一部を重ならないように配置することができる。
【００８５】
（３−３−３）
また、本実施形態に係る熱交換器ユニット４２では、第４ヘッダ６２４が、上側第４ヘッダ６２４Ｕと下側第４ヘッダ６２４Ｌとを連結する連結管６２５（折り返し部）を有する。ここで、連結管６２５の接続口を調整（例えば上側第４ヘッダ６２４Ｕの下方に連結管６２５を接続）した場合には、熱交換器ユニット４２を蒸発器として用いたときに冷媒を下から上に吹き上げるように冷媒を流すことができ、偏流を改善できる。
【００８６】
なお、連結管６２５には、冷媒の温度を計測するための温度計測器が取り付けられていてもよい。このような構成により、第２熱交換器６２内部を流れる冷媒の温度を把握できる。そして、温度計測器による計測値に基づいて、冷媒の状態を最適化することで、空気調和装置１の熱交換性能をさらに向上することができる。
【００８７】
ただし、温度計測器は、連結管６２５に取り付けられる構成に限定されるわけではなく、第４ヘッダ６２４に取り付けられる構成であってもよい。
【００８８】
（３−３−４）
また、本実施形態に係る熱交換器ユニット４２では、第１ヘッダ５２３から第２ヘッダ５２４に向かう冷媒流れの第１方向Ｄ１と、第３ヘッダ６２３から第４ヘッダ６２４に向かう冷媒流れの第２方向Ｄ２と、が対向している。そして、第１ヘッダ５２３及び上側第３ヘッダ６２３Ｕには、ガス状冷媒が流れるガス側接続管６ａ（ガス冷媒配管）が接続される。また、第２ヘッダ５２４及び下側第３ヘッダ６２３Ｌには、液状冷媒が流れる液側接続管５ａ（液冷媒配管）が接続される。
【００８９】
したがって、本実施形態に係る熱交換器ユニット４２では、風上側の第１熱交換器５２と風下側の第２熱交換器６２とを流れる冷媒の流通方向が対向するので、熱交換器ユニット４２全体を通過した空気の温度むらを軽減することができる。
【００９０】
一方、第１熱交換器５２と第２熱交換器６２とを流れる冷媒の流通方向が対向する場合には、第２熱交換器６２の過冷却領域Ｓｃ２において空気と冷媒との間の温度差が確保されにくくなる。これに対し、本実施形態に係る熱交換器ユニット４２では、第２熱交換器６２が連結管６２５（折り返し部）を有するので、熱交換器ユニット４２を凝縮器として用いた場合、第１熱交換器５２の過熱領域Ｓｈ１の背後の空間から、第２熱交換器６２の過冷却領域Ｓｃ２を重ならないように配置することができる（図１０，１１を参照）。さらに、第１熱交換器５２の過冷却領域Ｓｃ１の背後の空間に、第２熱交換器６２の過冷却領域Ｓｃ２が重なるように配置することができる（図１０，１１を参照）。これにより、熱交換器ユニット４２を凝縮器として用いた場合、第２熱交換器６２の過冷却領域Ｓｃ２で冷却される冷媒量をさらに増やすことができる。
【００９１】
（３−３−５）
また、本実施形態に係る熱交換器ユニット４２では、上側第２熱交換領域６００Ｕの面積が下側第２熱交換領域６００Ｌの面積よりも大きいものである。そのため、下側第２熱交換領域６００Ｌにおける冷媒流速が上がり、熱伝達効率の向上が図られる。
【００９２】
ただし、本実施形態に係る熱交換器ユニット４２は、下側第２熱交換領域６００Ｌの面積が上側第２熱交換領域６００Ｕの面積よりも大きいものでも実現可能である。
【００９３】
（３−３−６）
また、本実施形態に係る熱交換器ユニット４２では、第１熱交換器５２及び第２熱交換器６２が、各ヘッダ間で折り曲げられるものである。ここでは、第１熱交換器５２及び第２熱交換器６２は、図１２に示すように、各ヘッダ間の少なくとも３箇所で折り曲げられて平面視で略四角形状をとる。また、第１熱交換器５２及び第２熱交換器６２は室内ファン４１を囲む形状である。
【００９４】
このように、熱交換器ユニット４２が、各ヘッダ間で折り曲げられるので所望の場所に設置することができる。特に、平面視で略四角形状の場合には、内部に室内ファン４１を設置することで、調和空気を放射状に提供可能な空気調和装置１を実現できる、
なお、ここでいう、「略四角形状」とは、完全な四角形のみを意味するものではなく、平行する２辺の組により形成される任意の形状を意味するものである。したがって、この略四角形状には、角部が丸みを帯びているもの、及び角部が切断されているものも含まれる。
【００９５】
（３−４）熱交換器ユニットの変形例
（３−４−１）変形例１Ａ
上記説明においては、具体例として、第２熱交換器６２が連結管６２５により１回折り返される構成のものを説明したが、本実施形態に係る熱交換器ユニット４２はこの構成に限定されるものではない。例えば図１３に示すように、第２熱交換器６２の第３ヘッダ６２３及び第４ヘッダ６２４の内部を多段階に区分し、冷媒を多数回折り返す構成にしてもよい。このような構成であっても、熱交換器ユニット４２を凝縮器として用いたときに、第１熱交換器５２の過熱領域Ｓｈ１の背後の空間から、第２熱交換器６２の過冷却領域Ｓｃ２の少なくとも一部を重ならないように配置することができる。
【００９６】
（３−４−２）変形例１Ｂ
上記説明においては、具体例として、第１熱交換器５２が折り返し構造を具備しないもの用いたが、本実施形態に係る熱交換器ユニット４２はこの構成に限定されるものではない。例えば、第１熱交換器５２は多段階区分されて、冷媒を多数回折り返す構成を有するものでもよい。さらに、図１４に示すように、第１熱交換器５２及び第２熱交換器６２のいずれもが多数回折り返される構成を有していてもよい。このような構成であっても、熱交換器ユニット４２を凝縮器として用いたときに、第１熱交換器５２の過熱領域Ｓｈ１の背後の空間から、第２熱交換器６２の過冷却領域Ｓｃ２の少なくとも一部を重ならないように配置することができる。
【００９７】
（３−４−３）変形例１Ｃ
上記説明においては、第１方向Ｄ１と第２方向Ｄ２とが対向するものとしたが、本実施形態に係る熱交換器ユニット４２はこの構成に限定されるものではない。例えば図１５に示すように、第１方向Ｄ１及び第２方向Ｄ２が同一方向のものでもよい。このような構成であっても、熱交換器ユニット４２を凝縮器として用いたときに、第１熱交換器５２の過熱領域Ｓｈ１の背後の空間から、第２熱交換器６２の過冷却領域Ｓｃ２の少なくとも一部を重ならないように配置することができる。
【００９８】
（３−４−４）変形例１Ｄ
上記説明においては、第２熱交換器６２が、連結管６２５により折り返される構造のものを説明したが、本実施形態に係る第２熱交換器６２はこの構成に限定されるものではない。例えば図１６に示すように、第４ヘッダ６２４の内部に仕切り板６２４ａを配置しないことにより、冷媒を折り返す構成としてもよい。また、図１７に示すように、第４ヘッダ６２４の内部に複数の仕切り板、及び複数の連結管６２５ａ，６２５ｂを設けて、冷媒を折り返す構成としてもよい。要するに、本実施形態に係る「折り返し部」は、第４ヘッダ６２４において、第３ヘッダ６２３側から流入する冷媒を第３ヘッダ６２３側へ折り返すものであれば、任意の形態をとり得るものである。
【００９９】
（３−４−５）変形例１Ｅ
上記説明においては、各ヘッダ５２３，５２４，６２３，６２４は別部材で構成されるのとしたが、近傍のヘッダが一体的に構成されるものでもよい。例えば、図８に示す構成の例では、第１ヘッダ５２３及び第４ヘッダ６２４、並びに第２ヘッダ５２４及び第３ヘッダ６２３は一体的に構成されていてもよい。また、図１５に示す構成の例では、第１ヘッダ５２３及び第３ヘッダ６２３、並びに第２ヘッダ５２４及び第４ヘッダ６２４は一体的に構成されていてもよい。要するに、本実施形態に係る熱交換器ユニット４２は、上述した機能を有するものであれば、別個のヘッダとせずに、単一のヘッダで実現されてもよいものである。
【０１００】
（３−４−６）変形例１Ｆ
上記説明においては、連結管６２５に温度計測器が取り付けられる構成としたが、本実施形態に係る熱交換器ユニット４２はこの構成に限定されるものではない。例えば、温度計測器以外の各種計測装置が取り付けられるものでもよい。
【０１０１】
（３−４−７）変形例１Ｇ
上記説明においては、第１熱交換器５２及び第２熱交換器６２が平面視で略四角形状である構成としたが、本実施形態に係る熱交換器ユニット４２はこの構成に限定されるものではない。例えば、熱交換器ユニット４２は、平板状の形態でもよいし、湾曲した板状の形態でもよい。
【０１０２】
（３−４−８）変形例１Ｈ
上記説明においては、天井埋込型の熱交換器ユニット４２について説明したが、本実施形態に係る熱交換器ユニットはこれに限定されるものではない。本実施形態に係る熱交換器ユニット４２は、天井埋込型の室内ユニットに搭載されるものだけではなく、例えば、ダクト型又は天井吊下げ型等の室内ユニットにも搭載可能である。また、本実施形態に係る熱交換器ユニット４２の構成を、室外ユニット２の室外熱交換器２３に適用してもよい。
【０１０３】
＜第２実施形態＞
以下、既に説明した部分と同一の部分には略同一の符号を付し、重複した説明を省略する。なお、他の実施形態と区別するために、本実施形態では添え字Ｓを付すことがある。
【０１０４】
本発明の第２実施形態に係る空気調和装置１Ｓは、第１実施形態に係る空気調和装置１とは、室内熱交換器の具体的形態が異なるものである。第２実施形態に係る空気調和装置１Ｓの他の構成については第１実施形態に係る空気調和装置１と同様である。
【０１０５】
（４）室内熱交換器の具体的形態
本実施形態に係る室内熱交換器は熱交換器ユニット４２Ｓにより構成される。なお、熱交換器ユニット４２Ｓにおける熱交換器４２ａの基本構成は第１実施形態と同様である。
【０１０６】
（４−１）熱交換器ユニットの構成
図１８は本発明の第２実施形態に係る熱交換器ユニット４２Ｓの構成を説明するための模式図である。
【０１０７】
本実施形態に係る熱交換器ユニット４２Ｓでは、第１熱交換器５２Ｓが、室内ファン４１による空気流の風上側に配置される。また、第２熱交換器６２Ｓが、室内ファン４１による空気流の風下側に第１熱交換器５２に並設して配置される。ここでは、第１熱交換器５２Ｓの第１ヘッダ５２３から第２ヘッダ５２４に向かう第１方向Ｄ１と、第２熱交換器６２Ｓの第３ヘッダ６２３から第４ヘッダ６２４に向かう第２方向Ｄ２とが対向するものとする。なお、図１８においては、説明の便宜上、第１熱交換器５２Ｓ及び第２熱交換器６２Ｓを離して図示しているが、これらは一体として機能するように十分に近接して配置されるものである。
【０１０８】
第１熱交換器５２Ｓは、第１ヘッダ５２３及び第２ヘッダ５２４と、第１ヘッダ５２３及び第２ヘッダ５２４のそれぞれに接続される複数の扁平多穴管（伝熱管）からなる第１扁平管群５００と、を有する。第１扁平管群５００には、複数の扁平多穴管が上下に並んでいる。また、第１扁平管群５００では、上側の１以上の扁平多穴管が上側第１熱交換領域５００Ｕを形成し、下側の１以上の扁平多穴管が下側第１熱交換領域５００Ｌを形成する。ここで、上側第１熱交換領域５００Ｕの面積は下側第１熱交換領域５００Ｌの面積よりも大きくなるように構成される。
【０１０９】
第１ヘッダ５２３は、図１８，１９に示すように、第１実施形態における第３ヘッダ６２３と同様の構成を具備する。すなわち、第１ヘッダ５２３は、上側第１熱交換領域５００Ｕに接続する上側第１ヘッダ５２３Ｕと、下側第１熱交換領域５００Ｌに接続する下側第１ヘッダ５２３Ｌとを有する。また、上側第１ヘッダ５２３Ｕには、ガス状冷媒が流れるガス側接続管６ａ（ガス冷媒配管）が接続される。また、下側第１ヘッダ５２３Ｌには、液状冷媒が流れる液側接続管５ａ（液冷媒配管）が接続される。
【０１１０】
第２ヘッダ５２４は、図１８，１９に示すように、第１実施形態における第４ヘッダ６２４と同様の構成を具備するものである。具体的には、第２ヘッダ５２４は、上側第１熱交換領域５００Ｕに接続する上側第２ヘッダ５２４Ｕと、下側第１熱交換領域５００Ｌに接続する下側第２ヘッダ５２４Ｌとを有する。詳しくは、第２ヘッダ５２４は、仕切り板５２４ａによって内部空間が上下（ここでは、２つ）に仕切られる。そして、仕切り板５２４ａの上側の空間５２４ｉが上側第１熱交換領域５００Ｕに接続し、仕切り板５２４ａの下側の空間５２４ｊが下側第１熱交換領域５００Ｌに接続する。また、第２ヘッダ５２４は、上側第２ヘッダ５２４Ｕと下側第２ヘッダ５２４Ｌとを連結して、第１ヘッダ５２３側から流入する冷媒を第１ヘッダ５２３側へ折り返す「第２折り返し部」を有する。具体的には、第２ヘッダ５２４は、第２折り返し部として、上側第２ヘッダ５２４Ｕと下側第２ヘッダ５２４Ｌとを連結する連結管５２５（第２連結管）を有する。なお、連結管５２５には、冷媒の温度を計測するための温度計測器が取り付けられる。
【０１１１】
第２熱交換器６２Ｓは、第１実施形態における第２熱交換器６２と同様の構成を具備するものである。
【０１１２】
（４−２）熱交換器ユニットの特徴
（４−２−１）
上述したような構成の熱交換器ユニット４２Ｓを凝縮器として用いた場合、熱交換領域の内部状態は図２０，２１に示すような状態となる。ここで、図２１は、熱交換器ユニット４２の形態を折り曲げて、ガス側接続管６ａ（ガス冷媒配管）及び液側接続管５ａ（液冷媒配管）との接続箇所の断面で見たときの熱交換領域の状態を示す模式図である。
【０１１３】
要するに、本実施形態に係る熱交換器ユニット４２Ｓでは、風下側の第２熱交換器６２Ｓの第４ヘッダ６２４が冷媒の流れを折り返す連結管６２５（折り返し部）を有し、風上側の第１熱交換器５２Ｓの第２ヘッダ５２４が冷媒の流れを折り返す連結管５２５（第２折り返し部，第２連結管）を有する構成であるので、熱交換器ユニット４２Ｓを凝縮器として用いたときに、第１熱交換器５２Ｓの過熱領域Ｓｈ１の背後の空間から、第２熱交換器６２Ｓの過冷却領域Ｓｃ２の少なくとも一部を重ならないように配置することができる。これにより、熱交換器ユニット４２を凝縮器として用いたときに、風下側の第２熱交換器６２Ｓにおいて、過冷却領域Ｓｃ２で冷却される冷媒量を増やすことができる。
【０１１４】
（４−２−２）
さらに詳しくは、本実施形態に係る熱交換器ユニット４２Ｓの第１扁平管群５００では、複数の扁平多穴管が上下に並んでいる。ここで、第１扁平管群５００は、上側の１以上の扁平多穴管が上側第１熱交換領域５００Ｕを形成し、下側の１以上の扁平多穴管が下側第１熱交換領域５００Ｌを形成している。また、第２ヘッダ５２４が、上側第１熱交換領域５００Ｕ及び下側第１熱交換領域５００Ｌのそれぞれに接続する、上側第２ヘッダ５２４Ｕ及び下側第２ヘッダ５２４Ｌを有する。そして、連結管５２５（第２折り返し部）が、上側第２ヘッダ５２４Ｕと下側第２ヘッダ５２４Ｌとを連結して、第１ヘッダ５２３側から流入する冷媒を第１ヘッダ５２３側へ折り返している。
【０１１５】
したがって、熱交換器ユニット４２Ｓを凝縮器として用いたときに、第１熱交換器５２Ｓの過熱領域Ｓｈ１の背後の空間から、第２熱交換器６２Ｓの過冷却領域Ｓｃ２の少なくとも一部を重ならないように配置することができる。さらに、本実施形態に係る熱交換器ユニット４２Ｓでは、第１熱交換器５２の過冷却領域Ｓｃ１の背後の空間に、第２熱交換器６２の過冷却領域Ｓｃ２の少なくとも一部が重なるように配置することができる。これにより、第２熱交換器６２の過冷却領域Ｓｃ２で冷却される冷媒量をさらに増やすことができる。
【０１１６】
（４−２−３）
また、本実施形態に係る熱交換器ユニット４２Ｓでは、第１ヘッダ５２３から第２ヘッダ５２４に向かう冷媒流れ第１方向Ｄ１と、第３ヘッダ６２３から第４ヘッダ６２４に向かう冷媒流れ第２方向Ｄ２とが対向している。そして、上側第１ヘッダ５２３Ｕ及び上側第３ヘッダ６２３Ｕに、ガス状冷媒が流れるガス側接続管６ａ（ガス冷媒配管）が接続される。また、下側第１ヘッダ５２３Ｌ及び下側第３ヘッダ６２３Ｌに、液状冷媒が流れる液側接続管５ａ（液冷媒配管）が接続される。
【０１１７】
したがって、本実施形態に係る熱交換器ユニット４２Ｓでは、風上側の第１熱交換器５２Ｓと風下側の第２熱交換器６２Ｓとを流れる冷媒の流通方向が対向するので、熱交換器ユニット４２Ｓ全体を通過した空気の温度むらを軽減することができる。
【０１１８】
一方、第１熱交換器５２Ｓと第２熱交換器６２Ｓとを流れる冷媒の流通方向が対向する場合には、第２熱交換器６２Ｓの過冷却領域Ｓｃ２において空気と冷媒との間の温度差が確保されにくくなる。これに対し、本実施形態の熱交換器ユニット４２Ｓでは、第１熱交換器５２Ｓの第２ヘッダ５２４が連結管５２５（第２折り返し部）を有するので、熱交換器ユニット４２Ｓを凝縮器として用いたときに、第１熱交換器５２Ｓの過熱領域Ｓｈ１の背後の空間から、第２熱交換器６２Ｓの過冷却領域Ｓｃ２の少なくとも一部を重ならないように配置することができる（図２０，２１参照）。さらに、本実施形態に係る熱交換器ユニット４２Ｓでは、第１熱交換器５２Ｓの過冷却領域Ｓｃ１の背後の空間に、第２熱交換器６２Ｓの過冷却領域Ｓｃ２が重なるように配置することができる（図２０，２１参照）。これにより、熱交換器ユニット４２Ｓを凝縮器として用いた場合、第２熱交換器６２Ｓの過冷却領域Ｓｃ２で冷却される冷媒量をさらに増やすことができる。
【０１１９】
（４−２−４）
また、本実施形態に係る熱交換器ユニット４２Ｓでは、上側第１熱交換領域５００Ｕの面積が下側第１熱交換領域５００Ｌの面積よりも大きいものである。そのため、下側第１熱交換領域５００Ｌにおける冷媒流速が上がり、熱伝達効率の向上が図られる。
【０１２０】
ただし、本実施形態に係る熱交換器ユニット４２Ｓは、下側第１熱交換領域５００Ｌの面積が上側第１熱交換領域５００Ｕの面積よりも大きいものでも実現可能である。
【０１２１】
（４−２−５）
上述したように、本実施形態に係る熱交換器ユニット４２Ｓでは、第２ヘッダ５２４が、上側第２ヘッダ５２４Ｕと下側第２ヘッダ５２４Ｌとを連結する連結管５２５（第２折り返し部，第２連結管）を有する。ここで、連結管５２５の接続口を調整（例えば上側第２ヘッダ５２４Ｕの下方に連結管５２５を接続）した場合には、熱交換器ユニット４２Ｓを蒸発器として用いたときに冷媒を下から上に吹き上げるように冷媒を流すことができ、偏流を改善できる。
【０１２２】
なお、連結管５２５には、冷媒の温度を計測するための温度計測器が取り付けられていてもよい。このような構成により、第１熱交換器５２Ｓ内部を流れる冷媒の温度を把握できる。そして、温度計測器による計測値に基づいて、冷媒の状態を最適化することで、空気調和装置１Ｓの熱交換性能をさらに向上することができる。
【０１２３】
ただし、温度計測器は、連結管５２５に取り付けられる構成に限定されるわけではなく、第２ヘッダ５２４に取り付けられる構成であってもよい。
【０１２４】
（４−２−６）
また、本実施形態に係る熱交換器ユニット４２Ｓでは、第１熱交換器５２Ｓ及び第２熱交換器６２Ｓが、各ヘッダ間で折り曲げられるもおのである。ここでは、第１熱交換器５２Ｓ及び第２熱交換器６２Ｓは、図２２に示すように、各ヘッダ間の少なくとも３箇所で折り曲げられて平面視で略四角形状の形態を有する。また、第１熱交換器５２Ｓ及び第２熱交換器６２Ｓは室内ファン４１を囲む形状である。
【０１２５】
このように、熱交換器ユニット４２Ｓが、各ヘッダ間で折り曲げられるので所望の場所に設置することができる。特に、平面視で略四角形状の場合には、内部にファン４１を設置することで、調和空気を放射状に提供可能な空気調和装置１を実現できる、
なお、ここでいう、「略四角形状」とは、完全な四角形のみを意味するものではなく、平行する２辺の組により形成される任意の形状を意味するものである。したがって、この略四角形状には、角部が丸みを帯びているもの、及び角部が切断されているものも含まれる。
【０１２６】
（４−３）熱交換器ユニットの変形例
（４−３−１）変形例２Ａ
上記説明においては、具体例として、第１熱交換器５２Ｓが連結管５２５により１回折り返される構成のものを説明したが、本実施形態に係る熱交換器ユニット４２Ｓはこの構成に限定されるものではない。例えば図２３に示すように、第１熱交換器５２Ｓの第１ヘッダ５２３及び第２ヘッダ５２４の内部を多段階に区分し、冷媒を多数回折り返す構成にしてもよい。このような構成であっても、熱交換器ユニット４２Ｓを凝縮器として用いたときに、第１熱交換器５２の過熱領域Ｓｈ１の背後の空間から、第２熱交換器６２の過冷却領域Ｓｃ２の少なくとも一部を重ならないように配置することができる。
【０１２７】
（４−３−２）変形例２Ｂ
上記説明においては、具体例として第１熱交換器５２及び第２熱交換器６２Ｓが上下２つに区分される構成を有するものを用いたが、本実施形態に係る熱交換器ユニット４２Ｓはこの構成に限定されるものではない。例えば、図２４に示すように、第１熱交換器５２Ｓ及び第２熱交換器６２Ｓのいずれもが多段階に区分されて、冷媒を多数回折り返す構成を有するものでもよい。このような構成であっても、熱交換器ユニット４２Ｓを凝縮器として用いたときに、第１熱交換器５２Ｓの過熱領域Ｓｈ１の背後の空間から、第２熱交換器６２Ｓの過冷却領域Ｓｃ２の少なくとも一部を重ならないように配置することができる。
【０１２８】
（４−３−３）変形例２Ｃ
上記説明においては、第１方向Ｄ１と第２方向Ｄ２とが対向するものとしたが、本実施形態に係る熱交換器ユニットはこの構成に限定されるものではない。例えば図２５に示すように、第１方向Ｄ１及び第２方向Ｄ２が同一方向のものでもよい。このような構成であっても、熱交換器ユニット４２Ｓを凝縮器として用いたときに、第１熱交換器５２Ｓの過熱領域Ｓｈ１の背後の空間から、第２熱交換器６２Ｓの過冷却領域Ｓｃ２の少なくとも一部を重ならないように配置することができる。
【０１２９】
また、このような配置では、第１熱交換器５２Ｓの過冷却領域Ｓｃ１の背後の空間に、第２熱交換器６２Ｓの過冷却領域Ｓｃ２が重なるように配置される。これにより、熱交換器ユニット４２Ｓを凝縮器として用いた場合、第２熱交換器６２Ｓにおいて、過冷却領域Ｓｃ２で冷却される冷媒量をさらに増やすことができる。
【０１３０】
（４−３−４）変形例２Ｄ
上記説明においては、第１熱交換器５２Ｓが、連結管５２５により折り返される構造のものを説明したが、本実施形態に係る第１熱交換器５２Ｓはこの構成に限定されるものではない。例えば、第２ヘッダ５２４の内部に仕切り板５２４ａを配置しないことにより、冷媒を折り返す構成としてもよい（図１５に示す構成と同様の構成）。また、第２ヘッダ５２４の内部に複数の仕切り板、及び複数の連結管を設けて、冷媒を折り返す構成としてもよい（図１７に示す構成と同様の構成）。要するに、本実施形態に係る「第２折り返し部」は、第２ヘッダ５２４において、第１ヘッダ５２３側から流入する冷媒を第１ヘッダ５２３側へ折り返すものであれば、任意の形態をとり得るものである。
【０１３１】
（４−３−５）変形例２Ｅ
上記説明においては、各ヘッダ５２３，５２４，６２３，６２４は別部材で構成されるのとしたが、近傍のヘッダが一体的に構成されるものでもよい。例えば、図１８に示す構成の例では、第１ヘッダ５２３及び第４ヘッダ６２４、並びに第２ヘッダ５２４及び第３ヘッダ６２３は一体的に構成されていてもよい。また、図２５に示す構成の例では、第１ヘッダ５２３及び第３ヘッダ６２３、並びに第２ヘッダ５２４及び第４ヘッダ６２４は一体的に構成されていてもよい。要するに、本実施形態に係る熱交換器ユニット４２Ｓは、上述した機能を有するものであれば、別個のヘッダとせずに、単一のヘッダで実現されてもよいものである。
【０１３２】
（４−３−６）変形例２Ｆ
上記説明においては、連結管５２５に温度計測器が取り付けられる構成としたが、本実施形態に係る熱交換器ユニット４２Ｓはこの構成に限定されるものではない。例えば、温度計測器以外の各種計測装置が取り付けられるものでもよい。
【０１３３】
（４−３−７）変形例２Ｇ
上記説明においては、第１熱交換器５２Ｓ及び第２熱交換器６２Ｓが平面視で略四角形状である構成としたが、本実施形態に係る熱交換器ユニット４２Ｓはこの構成に限定されるものではない。例えば、熱交換器ユニット４２Ｓは、平板状の形態でもよいし、湾曲した板状の形態でもよい。
【０１３４】
（４−３−８）変形例２Ｈ
上記説明においては、天井埋込型の熱交換器ユニット４２Ｓについて説明したが、本実施形態に係る熱交換器ユニットはこれに限定されるものではない。本実施形態に係る熱交換器ユニット４２は、天井埋込型の室内ユニットに搭載されるものだけではなく、例えば、ダクト型又は天井吊下げ型等の室内ユニットにも搭載可能である。また、本実施形態に係る熱交換器ユニット４２Ｓの構成を、室外ユニット２の室外熱交換器２３に適用してもよい。
【０１３５】
＜第３実施形態＞
以下、既に説明した部分と同一の部分には略同一の符号を付し、重複した説明を省略する。なお、他の実施形態と区別するために、本実施形態では添え字Ｗを付すことがある。
【０１３６】
本発明の第３実施形態に係る空気調和装置１Ｗは、第１実施形態に係る空気調和装置１とは、室内熱交換器の具体的形態が異なるものである。第３実施形態に係る空気調和装置１Ｗの他の構成については第１実施形態に係る空気調和装置１と同様である。
【０１３７】
（５）室内熱交換器の具体的形態
本実施形態に係る室内熱交換器は熱交換器ユニット４２Ｗにより構成される。なお、熱交換器ユニット４２Ｓにおける熱交換器４２ａの基本構成は第１実施形態と同様である。
【０１３８】
（５−１）熱交換器ユニットの構成
図２６は本発明の第３実施形態に係る熱交換器ユニット４２Ｗの構成を説明するための模式図である。
【０１３９】
本実施形態に係る熱交換器ユニット４２Ｗでは、第１熱交換器５２Ｗが、室内ファン４１による空気流の風上側に配置される。また、第２熱交換器６２Ｗが、室内ファン４１による空気流の風下側に第１熱交換器５２Ｗに並設して配置される。ここでは、第１熱交換器５２Ｗの第１ヘッダ５２３から第２ヘッダ５２４に向かう第１方向Ｄ１と、第２熱交換器６２Ｗの第３ヘッダ６２３から第４ヘッダ６２４に向かう第２方向Ｄ２とが対向するものとする。なお、図２６においては、説明の便宜上、第１熱交換器５２Ｗ及び第２熱交換器６２Ｗを離して図示しているが、これらは一体として機能するように十分に近接して配置されるものである。
【０１４０】
第１熱交換器５２Ｗは、第１ヘッダ５２３及び第２ヘッダ５２４と、第１ヘッダ５２３及び第２ヘッダ５２３のそれぞれに接続される複数の扁平多穴管（伝熱管）からなる第１扁平管群５００と、を有する。第１扁平管群５００には、複数の扁平多穴管が上下に並んでいる。また、第１扁平管群５００では、図２６，２７に示すように、上側の１以上の扁平多穴管が上側第１熱交換領域５００Ｕを形成し、下側の１以上の扁平多穴管が下側第１熱交換領域５００Ｌを形成する。ここで、上側第１熱交換領域５００Ｕの面積は下側第１熱交換領域５００Ｌの面積よりも大きくなるように構成される。
【０１４１】
第１ヘッダ５２３は、図２６，２７に示すように、上側第１熱交換領域５００Ｕに接続する上側第１ヘッダ５２３Ｕと、下側第１熱交換領域５００Ｌに接続する下側第１ヘッダ５２３Ｌとを有する。上側第１ヘッダ５２３Ｕには、ガス状冷媒が流れるガス側接続管６ａ（ガス冷媒配管）が接続される。また、下側第１ヘッダ５２３Ｌには、連結管４２５が接続される。これにより、下側第１ヘッダ５２３Ｌと上側第４ヘッダ６２４Ｕとが連結する。なお、第１ヘッダ５２３は、仕切り板５２３ａによって内部空間が上下（ここでは、２つ）に仕切られる。これにより、上側第１ヘッダ５２３Ｕと下側第１ヘッダ５２３Ｌとが、内部で連通しない構成となる。
【０１４２】
第２ヘッダ５２４は、図２６，２７に示すように、上側第１熱交換領域５００Ｕに接続する上側第２ヘッダ５２４Ｕと、下側第１熱交換領域５００Ｌに接続する下側第２ヘッダ５２４Ｌとを有する。上側第２ヘッダ５２４Ｕには、連結管４２６が接続される。これにより、上側第２ヘッダ５２４Ｕと下側第３ヘッダ６２３Ｌとが連結する。また、下側第２ヘッダ５２４Ｌには、液状冷媒が流れる液側接続管５ａが接続される。なお、第２ヘッダ５２４は、仕切り板５２４ａによって内部空間が上下（ここでは、２つ）に仕切られる。これにより、上側第２ヘッダ５２４Ｕと下側第２ヘッダ５２４Ｌとが、内部で連通しない構成となる。
【０１４３】
第２熱交換器６２Ｗは、第３ヘッダ６２３及び第４ヘッダ６２４と、第３ヘッダ６２３及び第４ヘッダ６２４のそれぞれに接続される複数の扁平多穴管（伝熱管）からなる第２扁平管群６００と、を有する。第２扁平管群６００には、複数の扁平多穴管が上下に並んでいる。また、第２扁平管群６００では、図２６，２８に示すように、上側の１以上の扁平多穴管が上側第２熱交換領域６００Ｕを形成し、下側の１以上の扁平多穴管が下側第２熱交換領域６００Ｌを形成する。ここで、上側第２熱交換領域６００Ｕの面積は下側第２熱交換領域６００Ｌの面積よりも大きくなるように構成される。
【０１４４】
第３ヘッダ６２３は、図２６，２８に示すように、上側第２熱交換領域６００Ｕに接続する上側第３ヘッダ６２３Ｕと、下側第２熱交換領域６００Ｌに接続する下側第３ヘッダ６２３Ｌとを有する。上側第３ヘッダ６２３Ｕには、ガス状冷媒が流れるガス側接続管６ａ（ガス冷媒配管）が接続される。また、下側第３ヘッダ６２３Ｌには、連結管４２６が接続される。これにより、下側第３ヘッダ６２３Ｌと上側第２ヘッダ５２４Ｕとが連結する。なお、第３ヘッダ６２３は、仕切り板６２３ａによって内部空間が上下（ここでは、２つ）に仕切られる。これにより、上側第３ヘッダ６２３Ｕと下側第３ヘッダ６２３Ｌとが、内部で連通しない構成となる。
【０１４５】
第４ヘッダ６２４は、図２６，２８に示すように、上側第２熱交換領域６００Ｕに接続する上側第４ヘッダ６２４Ｕと、下側第２熱交換領域６００Ｌに接続する下側第４ヘッダ６２４Ｌとを有する。上側第４ヘッダ６２４Ｕには、連結管４２５が接続される。これにより、上側第４ヘッダ６２４Ｕと下側第１ヘッダ５２３Ｌとが連結する。また、下側第４ヘッダ６２４Ｌには、液状冷媒が流れる液側接続管５ａが接続される。なお、第４ヘッダ６２４は、仕切り板６２４ａによって内部空間が上下（ここでは、２つ）に仕切られる。これにより、上側第４ヘッダ６２４Ｕと下側第４ヘッダ６２４Ｌとが、内部で連通しない構成となる。
【０１４６】
連結管４２５は、上側第４ヘッダ６２４Ｕに流入する冷媒を下側第１ヘッダ５２３Ｌへ流出する。なお、連結管４２５には、冷媒の温度を計測するための温度計測器が取り付けられる。
【０１４７】
連結管４２６は、上側第２ヘッダ５２４Ｕに流入する冷媒を下側第３ヘッダ６２３Ｌへ流出する。なお、連結管４２６には、冷媒の温度を計測するための温度計測器が取り付けられる。
【０１４８】
（５−２）熱交換器ユニットの特徴
（５−２−１）
上述したような熱交換器ユニット４２Ｗを凝縮器として用いた場合、熱交換領域の内部状態が図２９，３０に示すような状態となる。ここで、図３０は、熱交換器ユニット４２Ｗの形態を折り曲げて、ガス側接続管６ａ（ガス冷媒配管）及び液側接続管５ａ（液冷媒配管）との接続箇所の断面で見たときの熱交換領域の状態を示す模式図である。
【０１４９】
要するに、本実施形態に係る熱交換器ユニット４２Ｗでは、風上側に第１熱交換器５２Ｗを備え、風下側に第２熱交換器６２Ｗを備えており、風下側の第２熱交換器６２Ｗの上側第４ヘッダ６２４Ｕが冷媒の流れを下側第１ヘッダ５２３Ｌに折り返す連結管４２５を有するとともに、風上側の第１熱交換器５２Ｗの上側第２ヘッダ５２４Ｕが冷媒の流れを下側第３ヘッダ６２３Ｌに折り返す連結管４２６を有するので、熱交換器ユニット４２Ｗを凝縮器として用いたときに、第１熱交換器５２Ｗの過熱領域Ｓｈ１の背後の空間から、第２熱交換器の過冷却領域Ｓｃ２の少なくとも一部を重ならないように配置することができる。これにより、熱交換器ユニット４２Ｗを凝縮器として用いたときに、風下側の第２熱交換器６２Ｗにおいて、過冷却領域Ｓｃ２で冷却される冷媒量を増やすことができる。さらに、本実施形態に係る熱交換器ユニット４２Ｗでは、第１熱交換器５２Ｗの過冷却領域Ｓｃ１の背後の空間に、第２熱交換器６２Ｗの過冷却領域Ｓｃ２の少なくとも一部が重なるように配置することができる。これにより、第２熱交換器６２Ｗの過冷却領域Ｓｃ２で冷却される冷媒量をさらに増やすことができる。
【０１５０】
（５−２−２）
上述した各連結管４２５，４２６には、冷媒の温度を計測するための温度計測器が取り付けられてもよい。このような構成により、第１熱交換器５２Ｗ，第２熱交換器６２Ｗ内部を流れる冷媒の温度を把握できる。そして、温度計測器による計測値に基づいて、冷媒の状態を最適化することで、空気調和装置１の熱交換性能をさらに向上することができる。
【０１５１】
ただし、温度計測器は、連結管４２５，４２６に取り付けられるものに限らず、各ヘッダ５２３，５２４，６２３，６２４に取り付けられてもよいものである。
【０１５２】
（５−２−３）
また、本実施形態に係る熱交換器ユニット４２Ｗでは、第１ヘッダ５２３から第２ヘッダ５２４に向かう冷媒流れの第１方向Ｄ１と、第３ヘッダ６２３から第４ヘッダ６２４に向かう冷媒流れの第２方向Ｄ２と、が対向している。
【０１５３】
したがって、本実施形態に係る熱交換器ユニット４２Ｗでは、風上側の第１熱交換器５２Ｗに流入するガス状冷媒と、風下側の第２熱交換器６２Ｗに流入するガス状冷媒との流れが対向する。ここで、第１熱交換器５２Ｗと第２熱交換器６２Ｗとを流れる冷媒の流通方向が対向するので、熱交換器ユニット４２Ｗ全体を通過した空気の温度むらを軽減することができる。
【０１５４】
一方、第１熱交換器５２Ｗと第２熱交換器６２Ｗとを流れる冷媒の流通方向が対向する場合には、第２熱交換器６２Ｗの過冷却領域Ｓｃ２において空気と冷媒との間の温度差が確保されにくくなる。これに対し、本実施形態に係る熱交換器ユニット４２Ｗでは、風上側に第１熱交換器５２Ｗを備え、風下側に第２熱交換器６２Ｗを備えており、風下側の第２熱交換器６２Ｗの上側第４ヘッダ６２４Ｕが冷媒の流れを下側第１ヘッダ５２３Ｌに折り返す連結管４２５を有し、風上側の第１熱交換器５２Ｗの上側第２ヘッダ５２４Ｕが冷媒の流れを下側第３ヘッダ６２３Ｌに折り返す連結管４２６を有するので、熱交換器ユニット４２を凝縮器として用いた場合、第１熱交換器５２の過熱領域Ｓｈ１の背後の空間から、第２熱交換器６２の過冷却領域Ｓｃ２を重ならないように配置することができる。また、第１熱交換器５２の過冷却領域Ｓｃ１の背後の空間に、第２熱交換器６２の過冷却領域Ｓｃ２がかさなるように配置される。これにより、熱交換器ユニット４２を凝縮器として用いた場合、第２熱交換器６２において、過冷却領域Ｓｃ２で冷却される冷媒量をさらに増やすことができる。
【０１５５】
（５−２−４）
また、本実施形態に係る熱交換器ユニット４２Ｗでは、上側第２熱交換領域６００Ｕの面積が下側第２熱交換領域６００Ｌの面積よりも大きいものである。そのため、下側第２熱交換領域６００Ｌにおける冷媒流速が上がり熱伝達効率の向上が図られる。
【０１５６】
ただし、本実施形態に係る熱交換器ユニット４２Ｗは、下側第２熱交換領域６００Ｌの面積が上側第２熱交換領域６００Ｕの面積よりも大きいものでも実現可能である。
【０１５７】
（５−２−５）
また、本実施形態に係る熱交換器ユニット４２Ｗでは、上側第１熱交換領域５００Ｕの面積が下側第１熱交換領域５００Ｌの面積よりも大きいものである。そのため、下側第１熱交換領域５００Ｌにおける冷媒流速が上がり熱伝達効率の向上が図られる。
【０１５８】
ただし、本実施形態に係る熱交換器ユニット４２Ｗは、下側第１熱交換領域５００Ｌの面積が上側第１熱交換領域５００Ｕの面積よりも大きいものでも実現可能である。
【０１５９】
（５−２−６）
また、本実施形態に係る熱交換器ユニット４２Ｗでは、第１熱交換器５２Ｗ及び第２熱交換器６２Ｗが、各ヘッダ間で折り曲げられるものである。ここでは、第１熱交換器５２Ｗ及び第２熱交換器６２Ｗは、図３１に示すように、各ヘッダ間の少なくとも３箇所で折り曲げられて平面視で略四角形状をとる。また、第１熱交換器５２Ｗ及び第２熱交換器６２Ｗは室内ファン４１を囲む形状である。
【０１６０】
このように、熱交換器ユニット４２Ｗが、各ヘッダ間で折り曲げられるので所望の設置場所に設置することができる。特に、平面視で略四角形状の場合には、内部に室内ファン４１を設置することで、調和空気を放射状に提供可能な空気調和装置１を実現できる、
なお、ここでいう、「略四角形状」とは、完全な四角形のみを意味するものではなく、平行する２辺の組により形成される任意の形状を意味するものである。したがって、この略四角形状には、角部が丸みを帯びているもの、及び角部が切断されているものも含まれる。
【０１６１】
（５−３）熱交換器ユニットの変形例
（５−３−１）変形例３Ａ
上記説明においては、第１方向Ｄ１と第２方向Ｄ２とが対向するものとしたが、本実施形態に係る熱交換器ユニット４２Ｗはこの構成に限定されるものではない。例えば図３２に示すように、第１方向Ｄ１及び第２方向Ｄ２が同一方向でもよい。このような構成であっても、熱交換器ユニット４２Ｗを凝縮器として用いたときに、第１熱交換器５２Ｗの過熱領域Ｓｈ１の背後の空間から、第２熱交換器６２の過冷却領域Ｓｃ２の少なくとも一部を重ならないように配置することができる。
【０１６２】
また、このような配置では、第１熱交換器５２Ｗの過冷却領域Ｓｃ１の背後の空間に、第２熱交換器６２Ｗの過冷却領域Ｓｃ２が重なるように配置される。これにより、熱交換器ユニット４２Ｗを凝縮器として用いた場合、第２熱交換器６２Ｗにおいて、過冷却領域Ｓｃ２で冷却される冷媒量をさらに増やすことができる。
【０１６３】
（５−３−２）変形例３Ｂ
上記説明においては、各ヘッダ５２３，５２４，６２３，６２４は別部材で構成されるのとしたが、近傍のヘッダが一体的に構成されるものでもよい。例えば、図２６に示す構成の例では、第１ヘッダ５２３及び第４ヘッダ６２４、並びに第２ヘッダ５２４及び第３ヘッダ６２３は一体的に構成されていてもよい。また、図３２に示す構成の例では、第１ヘッダ５２３及び第３ヘッダ６２３、並びに第２ヘッダ５２４及び第４ヘッダ６２４は一体的に構成されていてもよい。要するに、本実施形態に係る熱交換器ユニット４２Ｗは、各ヘッダの機能を有するものであれば、別個のヘッダとせずに、単一のヘッダで実現されるものを含むものである。
【０１６４】
（５−３−３）変形例３Ｃ
上記説明においては、連結管４２５，４２６に温度計測器が取り付けられる構成としたが、本実施形態に係る熱交換器ユニット４２Ｗはこの構成に限定されるものではない。例えば、温度計測器以外の各種計測装置が取り付けられるものでもよい。
【０１６５】
（５−３−４）変形例３Ｄ
上記説明においては、第１熱交換器５２Ｗ及び第２熱交換器６２Ｗが平面視で略四角形状である構成としたが、本実施形態に係る熱交換器ユニット４２Ｗはこの構成に限定されるものではない。例えば、熱交換器ユニット４２Ｗは、平板状の形態でもよいし、湾曲した板状の形態でもよい。
【０１６６】
（５−３−５）変形例３Ｅ
上記説明においては、天井埋込型の熱交換器ユニット４２Ｗについて説明したが、本実施形態に係る熱交換器ユニットはこれに限定されるものではない。本実施形態に係る熱交換器ユニット４２は、天井埋込型の室内ユニットに搭載されるものだけではなく、例えば、ダクト型又は天井吊下げ型等の室内ユニットにも搭載可能である。また、本実施形態に係る熱交換器ユニット４２Ｗの構成を、室外ユニット２の室外熱交換器２３に適用してもよい。
【０１６７】
＜他の実施形態＞
以上、本発明の実施形態及びその変形例について図面に基づいて説明したが、具体的な構成は、これらの実施形態及びその変形例に限られるものではなく、発明の要旨を逸脱しない範囲で変更可能である。
【符号の説明】
【０１６８】
５ａ      液側接続管（液冷媒配管）
６ａ      ガス側接続管（ガス冷媒配管）
４１      室内ファン（ファン）
４２      熱交換器ユニット
４２Ｓ    熱交換器ユニット
５２      第１熱交換器
５２Ｓ    第１熱交換器
６２      第２熱交換器
６２Ｓ    第２熱交換器
５００    第１扁平管群
５００Ｌ  下側第１熱交換領域
５００Ｕ  上側第１熱交換領域
５２３    第１ヘッダ
５２３Ｌ  下側第１ヘッダ
５２３Ｕ  上側第１ヘッダ
５２４    第２ヘッダ
５２４Ｌ  下側第２ヘッダ
５２４Ｕ  上側第２ヘッダ
５２５    連結管（第２折り返し部、第２連結管）
６２５    連結管（折り返し部、連結管）
６００    第２扁平管群
６００Ｌ  下側第２熱交換領域
６００Ｕ  上側第２熱交換領域
６２３    第３ヘッダ
６２３Ｌ  下側第３ヘッダ
６２３Ｕ  上側第３ヘッダ
６２４    第４ヘッダ
６２４Ｌ  下側第４ヘッダ
６２４Ｕ  上側第４ヘッダ
Ｄ１      第１方向
Ｄ２      第２方向
【先行技術文献】
【特許文献】
【０１６９】
【特許文献１】特開２０１６−３８１９２号公報
【図１】
2018162964.tif 000003
【図２】
2018162964.tif 000004
【図３】
2018162964.tif 000005
【図４】
2018162964.tif 000006
【図５】
2018162964.tif 000007
【図６】
2018162964.tif 000008
【図７】
2018162964.tif 000009
【図８】
2018162964.tif 000010
【図９】
2018162964.tif 000011
【図１０】
2018162964.tif 000012
【図１１】
2018162964.tif 000013
【図１２】
2018162964.tif 000014
【図１３】
2018162964.tif 000015
【図１４】
2018162964.tif 000016
【図１５】
2018162964.tif 000017
【図１６】
2018162964.tif 000018
【図１７】
2018162964.tif 000019
【図１８】
2018162964.tif 000020
【図１９】
2018162964.tif 000021
【図２０】
2018162964.tif 000022
【図２１】
2018162964.tif 000023
【図２２】
2018162964.tif 000024
【図２３】
2018162964.tif 000025
【図２４】
2018162964.tif 000026
【図２５】
2018162964.tif 000027
【図２６】
2018162964.tif 000028
【図２７】
2018162964.tif 000029
【図２８】
2018162964.tif 000030
【図２９】
2018162964.tif 000031
【図３０】
2018162964.tif 000032
【図３１】
2018162964.tif 000033
【図３２】
2018162964.tif 000034